(57)【特許請求の範囲】
【請求項１】
複数の生徒を対象とする試験の採点を支援する採点支援装置であって、
前記試験に含まれる問題から採点を行う対象問題を決定する決定部と、
前記対象問題の正解と、前記対象問題に対する前記複数の生徒の解答とを共に表示部に表示させる表示制御部と、
前記対象問題に対する前記複数の生徒の解答についての採点結果の入力を受け付ける採点受付部と
を備え、
前記採点受付部は、前記対象問題に対する前記複数の生徒の解答の各々について、前記対象問題の採点項目を満たしているか否かの入力を受け付け、当該入力に応じて点数を算出し、当該点数を当該解答に並べて前記表示部に表示させることを特徴とする採点支援装置。
【請求項２】
前記表示制御部は、
前記表示部に、正解表示領域、および、生徒解答表示領域を設定し、
前記正解表示領域に、前記対象問題の正解を表示させ、
前記生徒解答表示領域に、前記対象問題に対する前記複数の生徒の解答をスクロール表示させることを特徴とする請求項１に記載の採点支援装置。
【請求項３】
前記対象問題に対する前記複数の生徒の解答の何れかに対する再生指示を受け付け、当該再生指示を受け付けた解答に関連付けられた再生用データを再生して前記表示部に表示させる再生処理部をさらに備えていることを特徴とする請求項１または２に記載の採点支援装置。
【請求項４】
前記採点受付部が受け付けた前記採点結果を参照して、前記生徒毎に、前記試験の成績、前記試験に含まれる問題、各問題に対する当該生徒の解答、および、各解答に対する採点結果を夫々示す答案データを生成する答案生成部をさらに備えていることを特徴とする請求項１〜３の何れか一項に記載の採点支援装置。
【請求項５】
前記表示制御部は、前記対象問題の正解に並べて前記対象問題の採点基準を表示させることを特徴とする請求項１〜４の何れか一項に記載の採点支援装置。
【請求項６】
前記決定部は、前記試験に含まれる記述問題を前記対象問題として決定し、
前記試験に含まれる各選択問題に対する前記複数の生徒の解答を、当該選択問題の正解と比較することにより採点する採点処理部をさらに備えていることを特徴とする請求項１〜５の何れか一項に記載の採点支援装置。
【請求項７】
採点支援装置により複数の生徒を対象とする試験の採点を支援する採点支援方法であって、
前記採点支援装置が、前記試験に含まれる問題から採点を行う対象問題を決定する決定工程と、
前記採点支援装置が、前記対象問題の正解と、前記対象問題に対する前記複数の生徒の解答とを共に表示部に表示させる表示制御工程と、
前記採点支援装置が、前記対象問題に対する前記複数の生徒の解答についての採点結果の入力を受け付ける採点受付工程と
を包含し、
前記採点受付工程は、前記対象問題に対する前記複数の生徒の解答の各々について、前記対象問題の採点項目を満たしているか否かの入力を受け付け、当該入力に応じて点数を算出し、当該点数を当該解答に並べて前記表示部に表示させることを特徴とする採点支援方法。
【請求項８】
請求項１に記載の採点支援装置としてコンピュータを機能させるための採点支援プログラムであって、前記決定部、前記表示制御部および前記採点受付部としてコンピュータを機能させるための採点支援プログラム。
【請求項９】
請求項８に記載の採点支援プログラムを記録したコンピュータ読み取り可能な記録媒体。
【発明の詳細な説明】
【技術分野】
【０００１】
本発明は、採点支援装置、採点支援方法、採点支援プログラムおよび記録媒体に関する。
【背景技術】
【０００２】
近年、ＩＴ技術を利用した学習システムが開発されている。例えば、特許文献１には、学習者が使用する学習者用端末と、指導者が使用する指導者用端末と、これらと通信可能な学校サーバと、を含む教育支援システムが記載されている。
【先行技術文献】
【特許文献】
【０００３】
【特許文献１】特開２０１３−１５６７８８号公報
【発明の概要】
【発明が解決しようとする課題】
【０００４】
特許文献１には、試験について、学校サーバ等が自動採点することが記載されている。しかしながら、試験に含まれる記述問題等について自動採点することは困難である。
【０００５】
特許文献１にはまた、指導者が指導者端末で採点することが記載されている。しかしながら、複数の生徒を対象とする試験について、教師が採点する場合、生徒間で採点基準がぶれる場合がある。
【０００６】
本発明は、上記課題に鑑みてなされたものであり、複数の生徒を対象とする試験の採点を支援する採点支援技術において、生徒間で採点基準がぶれることを抑制するための技術を提供することを主たる目的とする。
【課題を解決するための手段】
【０００７】
上記の課題を解決するために、本発明の一態様に係る採点支援装置は、複数の生徒を対象とする試験の採点を支援する採点支援装置であって、前記試験に含まれる問題から採点を行う対象問題を決定する決定部と、前記対象問題の正解と、前記対象問題に対する前記複数の生徒の解答とを共に表示部に表示させる表示制御部と、前記対象問題に対する前記複数の生徒の解答についての採点結果の入力を受け付ける採点受付部とを備えている。
【０００８】
また、本発明の一態様に係る採点支援方法は、採点支援装置により複数の生徒を対象とする試験の採点を支援する採点支援方法であって、前記採点支援装置が、前記試験に含まれる問題から採点を行う対象問題を決定する決定工程と、前記採点支援装置が、前記対象問題の正解と、前記対象問題に対する前記複数の生徒の解答とを共に表示部に表示させる表示制御工程と、前記採点支援装置が、前記対象問題に対する前記複数の生徒の解答についての採点結果の入力を受け付ける採点受付工程とを包含する。
【発明の効果】
【０００９】
本発明の一態様によれば、複数の生徒を対象とする試験の採点において、生徒間で採点基準がぶれることを抑制することができる。
【図面の簡単な説明】
【００１０】
【図１】本発明の一実施形態に係る学習システムの概要を示す図である。
【図２】本発明の一実施形態に係る教師サーバに記憶されるデータ構造を説明する図である。
【図３】本発明の一実施形態に係る生徒端末に試験に含まれる問題が表示されている様子を示す図である。
【図４】本発明の一実施形態に係る採点支援装置の動作の一例を示すフローチャートである。
【図５】本発明の一実施形態に係る採点支援装置における対象試験および対象問題を決定するための画面例を示す図である。
【図６】本発明の一実施形態に係る採点支援装置における対象問題の採点のための画面例を示す図である。
【図７】本発明の一実施形態に係る採点支援装置における対象問題の採点のための画面例におけるスクロール処理を説明する図である。
【図８】本発明の一実施形態に係る採点支援装置における採点結果の表示のための画面例を示す図である。
【図９】本発明の一実施形態に係る採点支援装置が生成する答案例を示す図である。
【図１０】本発明の他の実施形態に係る採点支援装置における対象問題の採点のための画面例を示す図である。
【図１１】本発明の他の実施形態に係る採点支援装置における対象問題の採点のための画面例を示す図である。
【発明を実施するための形態】
【００１１】
〔実施形態１〕
以下、本発明の実施の形態について詳細に説明する。本発明に係る採点支援装置は、複数の生徒を対象とする試験の採点を支援する採点支援装置であって、前記試験に含まれる問題から採点を行う対象問題を決定する決定部と、前記対象問題の正解と、前記対象問題に対する前記複数の生徒の解答とを共に表示部に表示させる表示制御部と、前記対象問題に対する前記複数の生徒の解答についての採点結果の入力を受け付ける採点受付部とを備えている。本実施形態では、一例として、本発明に係る採点支援装置が、学習システムの教師サーバとして構成されている形態について説明する。
【００１２】
図１は、本発明の一実施形態に係る学習システム１の概要を示す図である。図１に示すように、学習システム１は、教師サーバ（採点支援装置）１００および生徒端末１０を備えている。
【００１３】
（教師サーバ）
教師サーバ１００は、生徒端末１０から送信された当該学習コンテンツの実施結果の採点、確認等を支援する機能を有するサーバである。教師サーバ１００は、通信部１０１、入力部１０２、表示部１０３および主制御部１０４を備えている。
【００１４】
通信部１０１は、有線または無線のネットワーク８０を介して、生徒端末１０の通信部１１との間でデータの受け渡しを行う通信部である。入力部１０２は、教師が入力を行うための入力機器であり、例えば、マウス、キーボード、タッチパッド等であり得る。表示部１０３は、学習コンテンツの実施結果等を教師に提示するためのディスプレイ装置であり得る。また、タッチパネルが、入力部１０２および表示部１０３を兼ねる構成であってもよい。
【００１５】
主制御部１０４は、教師サーバ１００の各部を統括して制御する制御部であり、通信処理部１０５、記憶部１０６、答案生成部１０７および採点処理部（決定部）１１０としても機能する。採点処理部１１０は、入力処理部１１１、採点受付部１１２および採点表示制御部（表示制御部）１１３としても機能し、採点表示制御部１１３は、スクロール処理部１１４および再生処理部１１５としても機能する。
【００１６】
通信処理部１０５は、通信部１０１を介した生徒端末１０との間の通信処理を行う。具体的には、生徒端末１０から送信された試験結果に関するデータを記憶部１０６に記憶させる処理を行う。
【００１７】
記憶部１０６は、複数の生徒からなるクラス毎に試験に関するデータを記憶している。図２は、記憶部１０６に記憶されるクラス毎のデータ構造を示す図である。図２の（ａ）に示すように、記憶部１０６には、各試験に関するデータ（テスト１〜）がそれぞれ記憶されている。図２の（ｂ）に示すように、各試験に関するデータ（例えば、テスト１）には、各生徒（生徒１〜生徒ｎ）の各問題（問１〜問ｍ）に関する単位データ（データ１−１〜データｎ−ｍ）が含まれている。図２の（ｃ）に示すように、単位データ（例えば、データ１−１）には、解答データ、再生用データ、および、採点結果データが含まれている。また、図２の（ｄ）に示すように、各試験に関するデータ（例えば、テスト１）には、各問題（問１〜）の正解データおよび問題種別を示すデータも含まれている。各データの詳細については、後述する。
【００１８】
答案生成部１０７は、生徒が生徒端末１０を用いて受験した試験の採点済み答案データを生成する。
【００１９】
採点処理部１１０は、対象試験に含まれる問題から採点を行う対象問題を決定する。入力処理部１１１は、入力部１０２からの入力を処理して、各部に入力内容を通知する。採点受付部１１２は、入力部１０２を介して教師から入力された、対象問題に対する複数の生徒の解答についての採点結果の入力を受け付け、単位データに含まれる採点結果データとして、記憶部１０６に記憶させる（図２の（ｃ）参照）。
【００２０】
採点表示制御部１１３は、対象問題の正解と、対象問題に対する複数の生徒の解答とを共に表示部１０３に表示させる。スクロール処理部１１４は、表示部１０３に表示された対象問題に対する複数の生徒の解答のスクロール表示を処理する。再生処理部１１５は、選択された再生用データを再生して、表示部１０３に表示させる。
【００２１】
（生徒端末）
生徒端末１０は、学習コンテンツの実施結果を教師サーバ１０に送信する機能を有する端末である。生徒端末１０の形態は特に限定されないが、例えば、タブレット端末、モバイルＰＣ端末等とすることができる。生徒端末１０は、通信部１１、入力部１２、表示部１３および主制御部１４を備えている。
【００２２】
通信部１１は、ネットワーク８０を介して、教師サーバ１００の通信部１０１との間でデータの受け渡しを行う通信部である。入力部１２は、生徒が入力を行うための入力機器である。表示部１３は、学習コンテンツ等を生徒に提示するためのディスプレイ装置である。入力部１２および表示部１３は、例えば、タッチパネルによって実現され得る。主制御部１４は、生徒端末１０の各部を統括して制御する制御部である。
【００２３】
なお、図１では、生徒端末１０を一つのみ示しているが、学習システム１には、各生徒が所有する生徒端末１０が含まれている。
【００２４】
続いて、本実施形態に係る学習システム１の動作について説明する。本実施形態において、学習システム１は、試験フェイズ、採点フェイズおよび出力フェイズを夫々実施する。
【００２５】
（試験フェイズ）
試験フェイズでは、複数の生徒（対象クラスの生徒）を対象とする特定の試験（対象試験）について、各生徒が、各々が所有する生徒端末１０を用いて受験する。
【００２６】
生徒端末１０は、対象試験に含まれる各問題を、表示部１３（入力部１２兼用）に表示させる。図３は、表示部１３に問題が表示されている様子を示す図である。対象試験に含まれる問題には、記述問題と選択問題とが存在し得る。記述問題とは、手書き入力によって解答する問題であり、内容は特に限定されないが、例えば、漢字の書き取り問題、算数の式を立てる問題、体積、面積など言葉の定義を答える問題等が挙げられる。また、選択問題とは、選択肢の選択によって解答する問題であり、内容は特に限定されない。
【００２７】
図３の（ａ）は、生徒端末１０の表示部１３に記述問題が示されている様子を示す。図３の（ａ）に示すように、表示部１３には、記述問題Ａ１０、記入可能な解答欄Ａ１１、および、押下可能な完了ボタンＡ１２が表示されている。生徒端末１０は、完了ボタンＡ１２が押されたときに、解答欄Ａ１１に記入されている内容を、記述問題Ａ１０の解答データとして取得する。また、解答欄Ａ１１に対する記入の軌跡（筆跡）を時系列に沿って記録したデータを、当該解答データに関連付けられた再生用データとして取得する。
【００２８】
図３の（ｂ）は、生徒端末１０の表示部１３に選択問題が示されている様子を示す。図３の（ｂ）に示すように、表示部１３には、選択問題Ａ２０、選択可能な選択肢Ａ２１、記入可能なメモ欄Ａ２２、および、押下可能な完了ボタンＡ１２が表示されている。生徒端末１０は、完了ボタンＡ１２が押されたときに、選択肢Ａ２１において選択された肢を、選択問題Ａ２０の解答データとして取得する。また、メモ欄Ａ２２に対する記入の軌跡（筆跡）を時系列に沿って記録したデータを、当該解答データに関連付けられた再生用データとして取得する。
【００２９】
そして、生徒端末１０は、次の問題を表示部１３に表示させる。なお、対象試験における問題の解答順は特に限定されず、都度解答する問題を選択するようにしてもよい。そして、全ての問題が完了した場合には、生徒端末１０は、対象試験に含まれる各問題に対する解答データおよび再生用データを、教師サーバ１００に送信する。教師サーバ１００は、生徒端末１０から受信したデータを、対象試験についての、当該生徒端末を所有する生徒の各問題に対応する単位データに含まれるデータとして、記憶部１０６に記憶させる（図２の（ａ）〜（ｃ）参照）。例えば、生徒１によるテスト１の問１の解答データおよび再生用データは、「テスト１」の「データ１−１」の「解答データ」および「再生用データ」として、記憶部１０６に記憶される。
【００３０】
以上を、対象クラスの全ての生徒（複数の生徒）が実施することにより、試験フェイズが終了する。
【００３１】
（採点フェイズ）
採点フェイズでは、教師サーバ１００が、対象試験の採点を支援する。図４は、採点フェイズにおける教師サーバ１００の動作の一例を示すフローチャートである。
【００３２】
ステップＳ１０において、採点処理部１１０は、採点の対象となる対象試験の選択を受け付ける。まず、採点処理部１１０は、対象試験を決定するための画面を表示部１０３に表示させる。図５は、対象試験を決定するための画面の一例を示す図である。図５に示すように、表示部１０３には、対象クラスを選択するためのボックスＢ１０、対象試験を選択するためのボックスＢ１１が表示されている（その他については後述する）。本ステップでは、採点処理部１１０は、ボックスＢ１０に対する入力に応じて、対象クラスを決定し、ボックスＢ１１に対する入力に応じて、対象試験を決定する。
【００３３】
続いて、ステップＳ１１において、採点処理部１１０は、採点の対象となる対象問題の選択を受け付ける。まず、採点処理部１１０は、既に表示部１０３に表示されている画面（図５参照）において、対象試験に含まれる各記述問題と、各記述問題の採点状況を示すテーブルＢ１２を表示させる。採点処理部１１０は、採点状況を、例えば、記憶部１０６における採点結果データの有無によって判定することができる。そして、教師が、入力部１０２を介して、テーブルＢ１２における何れかの問題を選択すると、入力処理部１１１が選択された問題を採点処理部１１０に通知する。採点処理部１１０は、通知された問題を対象問題として決定する。
【００３４】
なお、採点処理部１１０は、記憶部１０６に記憶されている各試験の各問題の問題種別（図２の（ｄ）参照）を示すデータを参照し、対象試験に含まれる記述問題のみを、テーブルＢ１２に表示させる。採点処理部１１０は、対象試験に含まれる選択問題については、各選択問題に対する複数の生徒の解答を、記憶部１０６に記憶されている各試験の各問題の正解データ（図２の（ｄ）参照）と比較することにより自動的に採点し、採点結果を示す採点結果データを記憶部１０６に記憶しておく（図２の（ｃ）参照）。このように、教師サーバ１００が、選択問題を自動的に採点することにより、教師による試験の採点を好適に支援することができる。
【００３５】
続いて、ステップＳ１２において、採点表示制御部１１３は、対象問題の採点のために、記憶部１０６に記憶されている各試験の各問題の正解データ（図２の（ｄ）参照）、および、各試験の各問題についての各生徒の解答データ（図２の（ｂ）および（ｃ）参照）を参照し、対象問題の正解と、対象問題に対する複数の生徒（対象クラスの生徒）の解答とを共に表示部１０３に表示させる。
【００３６】
図６は、対象問題の採点のための画面の一例を示す図である。図６に示すように、表示部１０３には、対象問題の正解Ｃ１０と共に、複数の生徒の各々に対応する項目Ｃ２０が並べて表示されており、各項目Ｃ２０には、各生徒を特定する識別子となる生徒番号Ｃ２１、対象問題に対する各生徒の解答Ｃ２２、再生開始ボタンＣ２３、および、採点ボタンＣ２４が含まれている。また、表示部１０３の右端には、スクロールバーＣ１１が表示されている。
【００３７】
続いて、ステップＳ１３において、入力処理部１１１は、入力部１０２を介した入力の内容を判別する。
【００３８】
ステップＳ１３における入力がスクロール指示（スクロールバーＣ１１の操作）であった場合、ステップＳ１４において、スクロール処理部１１４が、スクロール処理を行い、ステップＳ１３に戻る。図７は、スクロール処理を説明する図である。
【００３９】
図７に示すように、採点表示制御部１１３は、表示部１０３に、正解表示領域Ｃ１、および、生徒解答表示領域Ｃ２を設定しており、正解表示領域Ｃ１に、対象問題の正解Ｃ１０を表示させ、生徒解答表示領域Ｃ２に、複数の生徒の項目Ｃ２０を表示させている。そして、図７の（ａ）〜（ｃ）に示すように、ステップＳ１４において、スクロール処理部１１４は、スクロールバーＣ１１が操作された場合に、複数の生徒の項目Ｃ２０のみを生徒解答表示領域Ｃ２内でスクロール表示させる。
【００４０】
また、ステップＳ１３における入力が再生指示（再生開始ボタンＣ２３の押下）であった場合、ステップＳ１５において、再生処理部１１５が再生処理を行い、ステップＳ１３に戻る。
【００４１】
ステップＳ１５において、まず、再生処理部１１５は、押下された再生開始ボタンＣ２３と同じ項目Ｃ２０に含まれる解答Ｃ２２に対する再生指示を受け付ける。そして、再生処理部１１５は、当該再生指示を受け付けた解答Ｃ２２に関連付けられた再生用データ（図２の（ｃ）参照）を記憶部１０６から取得し、当該再生用データをアニメーションのように再生して表示部１０３に表示させる。再生処理部１１５は、例えば、再生用データを、項目Ｃ２０の解答Ｃ２２の位置において再生する。
【００４２】
また、ステップＳ１３における入力が採点結果入力（採点ボタンＣ２４の押下）であった場合、採点受付部１１２は、押下された採点ボタンＣ２４に対応する採点結果（例えば、「○」ボタンの押下であれば正解、「×」ボタンの押下であれば不正解等）の入力を受け付け、受け付けた採点結果を示す採点結果データを、記憶部１０６に記憶しておく（図２の（ｃ）参照）。
【００４３】
続いて、ステップＳ１６において、採点表示制御部１１３は、複数の生徒の解答について、全員分採点が完了したか否かを判定し、完了していなければステップＳ１３に戻る。
【００４４】
続いて、ステップＳ１７において、採点表示制御部１１３は、対象試験に含まれる全ての記述問題について、採点が完了したか否かを判定し、完了していなければステップＳ１１に戻る。一方、対象試験に含まれる全ての記述問題について採点が完了していた場合には、採点フェイズを終了する。
【００４５】
以上のように、採点表示制御部１１３が、対象問題の採点のために、対象問題の正解と、対象問題に対する複数の生徒（対象クラスの生徒）の解答とを共に表示部１０３に表示させることにより、各生徒の解答の採点を、対象問題の正解、および、他の生徒の解答と比較しながら行うことができる。これにより、複数の生徒を対象とする試験の採点において、生徒間で採点基準がぶれることを抑制することができる。
【００４６】
特に、スクロール処理部１１４が、複数の生徒の項目Ｃ２０のみを生徒解答表示領域Ｃ２内でスクロール表示させ、対象問題の正解Ｃ１０を正解表示領域Ｃ１に固定的に表示させることにより、生徒が多い場合であっても、全生徒の項目Ｃ２０をスクロール表示させることができると共に、常に、対象問題の正解が表示された状態で採点を行うことができる。これにより、複数の生徒を対象とする試験の採点を好適に行うことができると共に、生徒間で採点基準がぶれることを好適に抑制することができる。
【００４７】
また、再生指示を受け付けた解答Ｃ２２に関連付けられた再生用データをアニメーションのように再生して表示部１０３に表示させることにより、教師は、より好適に採点を行うことができる。例えば、再生用データは、上述したように解答の筆跡を示すものであるため、漢字の書き取り問題において、書き順を首尾良く確認することができる。
【００４８】
（出力フェイズ）
出力フェイズでは、教師サーバ１００が、試験の採点結果を出力する。例えば、採点処理部１１０は、採点受付部１１２が受け付け、記憶部１０６に記憶された採点結果データを参照して、表示部１０３に対し、生徒毎に、対象試験における成績（例えば、正答数）を表示させてもよい。図８は、採点結果の表示のための画面の一例を示す図である。図８に示すように、採点処理部１１０は、表示部１０３に、特定の生徒（生徒１）についての、複数の試験における成績Ｄ１０を表示させる。
【００４９】
また、答案生成部１０７は、採点受付部１１２が受け付け、記憶部１０６に記憶された採点結果データを参照して、生徒毎に、対象試験における成績、対象試験に含まれる問題、各問題に対する当該生徒の解答、および、各解答に対する採点結果を夫々示す答案データを生成してもよい。
【００５０】
図９は、答案生成部１０７が生成する答案データの一例を示す図である。図９に示すように、答案データには、対象試験における成績（正答数）Ｄ１０、対象試験に含まれる問題Ｄ２０、各問題の正解Ｄ２１、各問題に対する当該生徒の解答Ｄ２２、および、各解答に対する採点結果Ｄ２３が夫々含まれている。
【００５１】
そして、答案データは、例えば、ＰＤＦ等の印刷可能なデータとすることができる。これにより、生徒端末１０を使用して受験した試験の結果を、あたかも紙の答案のような体裁で確認することができる。
【００５２】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００５３】
図１０は、本実施形態に係る教師サーバ１００の表示部１０３に表示される対象問題の採点のための画面例を示す図である。
【００５４】
図１０に示すように、採点表示制御部１１３は、対象問題の採点基準Ｃ１２を、対象問題の正解Ｃ１０に並べて表示部１０３に表示させる。これにより、教師は、常に採点基準Ｃ１２を確認しながら採点を行うことができるため、生徒間において採点基準がぶれることをさらに好適に抑制することができる。
【００５５】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００５６】
図１１の（ａ）は、本実施形態に係る教師サーバ１００の表示部１０３に表示される対象問題の採点のための画面例を示す図である。また、図１１の（ｂ）は、本実施形態に係る表示サーバ１００の記憶部１０６に記憶されている、各問題に対する正解データ、各問題の問題種別を示すデータ、各問題の基準点を示すデータ、各問題の付属１を示すデータ、および、各問題の付属２を示すデータのデータ構造を示す図である。なお、付属データの種類は２つに限定されず、１つであってもよいし、３つ以上であってもよい。
【００５７】
図１１に示すように、採点表示制御部１１３は、対象問題に対する複数の生徒の解答Ｃ２２が含まれる項目Ｃ２０のそれぞれに、対象問題の採点項目Ｃ２５を表示させる。
【００５８】
そして、採点受付部１１２は、対象問題に対する複数の生徒の解答Ｃ２２の各々について、対象問題の採点項目Ｃ２５を満たしているか否かの入力を受け付けるようになっている。例えば、採点項目Ｃ２５には、図１１に示すように、「項目１」および「項目２」が含まれ、それぞれにチェックボックスが付されており、教師は、入力部１０２を介して当該チェックボックスを操作する。入力処理部１１１は、当該チェックボックスの操作内容を示す情報を採点受付部１１２に提供し、採点受付部１１２は、当該情報に応じて、対象問題の採点項目Ｃ２５を満たしているか否かの入力を受け付ける。
【００５９】
採点受付部１１２は、さらに、受け付けた入力に応じて解答Ｃ２２の点数を算出する。例えば、採点受付部１１２は、記憶部１０６に記憶されている各問題の基準点、付属１および付属２を示すデータ（図１１の（ｂ）参照）を参照し、正解した解答Ｃ２２について、対象問題の基準点に、満たしていると入力された採点項目Ｃ２５に対応する付属データ（例えば、項目１には付属１が対応し、項目２には付属２が対応する）が示す点数を加算することにより、解答Ｃ２２の点数を算出するものであり得る。
【００６０】
採点受付部１１２は、さらに、算出した解答Ｃ２２の点数を、解答Ｃ２２に並べて表示部１０３に表示させる。例えば、採点受付部１１２は、項目Ｃ２０中に、点数Ｃ２６を表示させるようになっている。
【００６１】
以上により、教師は、採点項目の各々を確認するだけで、予め定められた採点基準に基づいた点数を各解答に対して付けることができ、また、付けた点数を容易に確認することができる。これにより、生徒間において採点基準がぶれることをさらに好適に抑制することができる。
【００６２】
〔実施形態４〕
以上の実施形態に係る学習システム１では、教師は、教師サーバ１００を操作して採点を行う構成であるが、本発明はこの構成に限定されない。
【００６３】
例えば、採点処理部１１０、入力部１０２および表示部１０３が、教師サーバから分離されており、教師は、採点処理部１１０、入力部１０２、表示部１０３、および、教師サーバとデータのやりとりを行うための通信部を備えた教師端末を操作して採点を行う構成であってもよい。この構成では、教師端末が、本発明に係る採点支援装置として機能する。
【００６４】
また、例えば、入力部１０２および表示部１０３が、教師サーバから分離されており、教師は、入力部１０２、表示部１０３、および、教師サーバとデータのやりとりを行うための通信部を備えた教師端末を操作して採点を行う構成であってもよい。この構成では、教師サーバが、本発明に係る採点支援装置として機能する。
【００６５】
なお、教師端末の形態は特に限定されないが、例えば、生徒端末と同様にタブレット端末、モバイルＰＣ端末等とすることができる。
【００６６】
〔実施形態５〕
以上では、生徒端末１０が、試験、練習問題等の学習コンテンツを保有している構成について説明したが、学習コンテンツは教師サーバ１００が保有しており、生徒端末１０を使用するときに、教師サーバ１００から生徒端末１０へ学習コンテンツが提供される構成であってもよい。例えば、教師サーバ１００は、記憶部１０６に記憶されている学習コンテンツを、生徒端末１０からの供給に応じて生徒端末１０に送信するようになっていてもよい。
【００６７】
〔ソフトウェアによる実現例〕
教師サーバ１００の制御ブロック（特に主制御部１０４）は、集積回路（ＩＣチップ）等に形成された論理回路（ハードウェア）によって実現してもよいし、ＣＰＵ（Central Processing Unit）を用いてソフトウェアによって実現してもよい。
【００６８】
後者の場合、教師サーバ１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６９】
〔まとめ〕
本発明の態様１に係る採点支援装置（教師サーバ１００）は、複数の生徒を対象とする試験の採点を支援する採点支援装置であって、前記試験に含まれる問題から採点を行う対象問題を決定する決定部（採点処理部１１０）と、前記対象問題の正解と、前記対象問題に対する前記複数の生徒の解答とを共に表示部（１０３）に表示させる表示制御部（採点表示制御部１１３）と、前記対象問題に対する前記複数の生徒の解答についての採点結果の入力を受け付ける採点受付部（１１２）とを備えている。
【００７０】
上記の構成によれば、各生徒の解答の採点を、対象問題の正解、および、他の生徒の解答と比較しながら行うことができる。これにより、複数の生徒を対象とする試験の採点において、生徒間で採点基準がぶれることを抑制することができる。
【００７１】
本発明の態様２に係る採点支援装置は、上記態様１において、前記表示制御部は、前記表示部に、正解表示領域、および、生徒解答表示領域を設定し、前記正解表示領域に、前記対象問題の正解を表示させ、前記生徒解答表示領域に、前記対象問題に対する前記複数の生徒の解答をスクロール表示させるものであってもよい。
【００７２】
上記の構成によれば、生徒が多い場合であっても、全生徒の解答をスクロール表示させることができると共に、常に、対象問題の正解が表示された状態で採点を行うことができる。これにより、複数の生徒を対象とする試験の採点を好適に行うことができると共に、生徒間で採点基準がぶれることを好適に抑制することができる。
【００７３】
本発明の態様３に係る採点支援装置は、上記態様１または２において、前記対象問題に対する前記複数の生徒の解答の何れかに対する再生指示を受け付け、当該再生指示を受け付けた解答に関連付けられた再生用データを再生して前記表示部に表示させる再生処理部（１１５）をさらに備えているものであってもよい。
【００７４】
上記の構成によれば、教師は、再生された再生用データを確認して、より適切に採点を行うことができる。一例を挙げれば、再生用データが、解答の筆跡を示すものであれば、漢字の書き取り問題において、書き順を首尾良く確認することができる。
【００７５】
本発明の態様４に係る採点支援装置は、上記態様１〜３において、前記採点受付部が受け付けた前記採点結果を参照して、前記生徒毎に、前記試験の成績、前記試験に含まれる問題、各問題に対する当該生徒の解答、および、各解答に対する採点結果を夫々示す答案データを生成する答案生成部（１０７）をさらに備えているものであってもよい。
【００７６】
上記の構成によれば、試験の採点結果を、あたかも紙の答案のような体裁で確認することができる。
【００７７】
本発明の態様５に係る採点支援装置は、上記態様１〜４において、前記表示制御部は、前記対象問題の正解に並べて前記対象問題の採点基準（Ｃ１１）を表示させるものであってもよい。
【００７８】
上記の構成によれば、教師は、常に採点基準を確認しながら採点を行うことができるため、生徒間において採点基準がぶれることをさらに好適に抑制することができる。
【００７９】
本発明の態様６に係る採点支援装置は、上記態様１〜５において、前記採点受付部は、前記対象問題に対する前記複数の生徒の解答の各々について、前記対象問題の採点項目（Ｃ２５）を満たしているか否かの入力を受け付け、当該入力に応じて点数を算出し、当該点数（Ｃ２６）を当該解答に並べて前記表示部に表示させるものであってもよい。
【００８０】
上記の構成によれば、教師は、採点項目の各々を確認するだけで、予め定められた採点基準に基づいた点数を各解答に対して付けることができ、また、付けた点数を容易に確認することができる。これにより、生徒間において採点基準がぶれることをさらに好適に抑制することができる。
【００８１】
本発明の態様７に係る採点支援装置は、上記態様１〜６において、前記決定部は、前記試験に含まれる記述問題を前記対象問題として決定し、前記試験に含まれる各選択問題に対する前記複数の生徒の解答を、当該選択問題の正解と比較して採点する採点処理部をさらに備えているものであってもよい。
【００８２】
上記の構成によれば、採点支援装置が、選択問題を自動的に採点することにより、教師による試験の採点を好適に支援することができる。
【００８３】
本発明の態様８に係る採点支援方法は、採点支援装置により複数の生徒を対象とする試験の採点を支援する採点支援方法であって、前記採点支援装置が、前記試験に含まれる問題から採点を行う対象問題を決定する決定工程と、前記採点支援装置が、前記対象問題の正解と、前記対象問題に対する前記複数の生徒の解答とを共に表示部に表示させる表示制御工程と、前記採点支援装置が、前記対象問題に対する前記複数の生徒の解答についての採点結果の入力を受け付ける採点受付工程とを包含する。
【００８４】
上記の構成によれば、本発明の態様１に係る採点支援装置と同等の効果を奏する。
【００８５】
本発明の各態様に係る採点支援装置は、コンピュータによって実現してもよく、この場合には、コンピュータを上記採点支援装置が備える各部（ソフトウェア要素）として動作させることにより上記採点支援装置をコンピュータにて実現させる採点支援装置の採点支援プログラム、およびそれを記録したコンピュータ読み取り可能な記録媒体も、本発明の範疇に入る。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８７】
１  学習システム
１０  生徒端末
１１  通信部
１２  入力部
１３  表示部
１４  主制御部
１００  教師サーバ（採点支援装置）
１０１  通信部
１０２  入力部
１０３  表示部
１０４  主制御部
１０５  通信処理部
１０６  記憶部
１０７  答案生成部
１１０  採点処理部（決定部）
１１１  入力処理部
１１２  採点受付部
１１３  採点表示制御部（表示制御部）
１１４  スクロール処理部
１１５  再生処理部
【図１】
0006684141.tif 000002
【図２】
0006684141.tif 000003
【図３】
0006684141.tif 000004
【図４】
0006684141.tif 000005
【図５】
0006684141.tif 000006
【図６】
0006684141.tif 000007
【図７】
0006684141.tif 000008
【図８】
0006684141.tif 000009
【図９】
0006684141.tif 000010
【図１０】
0006684141.tif 000011
【図１１】
0006684141.tif 000012